(57)【要約】【課題】表示部で発光表示を行っているときに、蓄電池の充電残量の変化、充電残量が不足していることを表示装置の管理者に知らしめることを可能にする表示装置を提供する点にある。【解決手段】本発明における表示装置は、太陽電池パネル９と、太陽電池パネル９で発電した電力を蓄える蓄電池１１と、蓄電池１１の充電残量を測定する充電残量測定手段１４と、充電残量測定手段１４で測定した充電残量に応じて前記表示部の発光表示パターンを切り換える制御部１５とを備える。【選択図】図１
2008281874.tif 000002
【特許請求の範囲】
【請求項１】
屋外に設置され、発光素子が取り付けられた表示部で発光表示を行う表示装置において、
太陽光を電力に変換する太陽電池パネルと、該太陽電池パネルで発電した電力を蓄える蓄電池と、該蓄電池の充電残量を測定する充電残量測定手段と、該充電残量測定手段で測定した充電残量に応じて前記表示部の発光表示パターンを切り換えることで、前記蓄電池の充電残量が変化していることを報知する制御部とを備えたことを特徴とする表示装置。
【請求項２】
請求項１記載の表示装置において、
前記蓄電池の充電残量が満充電の状態から減少するに従って、前記表示部に表示する発光表示パターンの点灯の割合を少なくすることを特徴とする表示装置。
【請求項３】
請求項１または２記載の表示装置において、
前記蓄電池の充電残量が満充電の状態から減少するに従って、前記表示部に表示する発光表示パターンを段階的に切り換えてゆくことを特徴とする表示装置。
【発明の詳細な説明】
【技術分野】
【０００１】
本発明は、発光素子が取り付けられた表示部で発光表示を行う表示装置に関し、特に屋外に設置され、太陽電池パネルで発電を行えるときに、発電した電力と蓄電池に蓄えている電力とを表示装置駆動用の電源に供給して動作し、太陽電池パネルで発電を行えないときに、蓄電池に蓄えた電力を電源に供給して動作する表示装置に関する。
【背景技術】
【０００２】
従来より、特許文献１に示す通り、発光素子が取り付けられた表示部で発光表示を行う表示装置の中には、屋外に設置され、太陽電池パネルで発電を行えるときに、発電した電力と蓄電池に蓄えている電力とを表示装置駆動用の電源に供給して動作し、太陽電池パネルで発電を行えないときに、蓄電池に蓄えた電力を電源に供給して動作する表示装置があるが、曇りの日が続いて太陽電池パネルの発電量が減少し、蓄電池の充電残量がなくなったときに、突然発光表示が止まってしまうことがあり、表示装置の管理者がこのことに気づいて対処を行うまでの間、発光表示が行われない問題があった。
【特許文献１】特開２００１−７５５１６号
【発明の開示】
【発明が解決しようとする課題】
【０００３】
本発明は上記の問題点に対処し成されたものであり、表示部で発光表示を行っているときに、蓄電池の充電残量の変化や充電残量の不足が発生したら、表示装置の管理者にこれらを知らしめることを可能にする表示装置を提供することを課題としている。
【課題を解決するための手段】
【０００４】
上記課題を解決するために本発明では、屋外に設置され、発光素子が取り付けられた表示部で発光表示を行う表示装置において、太陽光を電力に変換する太陽電池パネルと、該太陽電池パネルで発電した電力を蓄える蓄電池と、該蓄電池の充電残量を測定する充電残量測定手段と、該充電残量測定手段で測定した充電残量に応じて前記表示部の発光表示パターンを切り換えることで、前記蓄電池の充電残量が変化していることを報知する制御部とを備えたことを特徴とする表示装置を提案する。
【０００５】
上記提案の表示装置は、蓄電池の充電残量が満充電の状態から減少するに従って、表示部に表示する発光表示パターンの点灯の割合を少なくすることが望ましい。
【０００６】
さらに、上記提案の表示装置は、蓄電池の充電残量が満充電の状態から減少するに従って、表示部に表示する発光表示パターンを段階的に切り換えてゆくことが望ましい。
【発明の効果】
【０００７】
請求項１の発明によれば、蓄電池の充電残量が減少したときに発光表示パターンが切り換わるので、表示装置は周囲の人間に対して発光表示を行いつつ、表示装置の管理者に蓄電池の充電残量が不足していることを知らしめることができる。また、充電済みの蓄電池が取り付けられたにも関わらず、発光表示パターンが切り換わったときには、蓄電池が表示装置に正しく装着されていなかったり、蓄電池が故障や劣化をしていたりといった何らかの異常があると管理者は確認することができる。また管理者は、表示部の発光表示に自然に目をとられるので、蓄電池の充電残量が変化していることに気づきやすい。
【０００８】
さらに、管理者に即座に知らしめる報知手段としてはブザーのような音声報知手段が一般的であるが、表示装置が設置される屋外は屋内に比べ騒音が発生しやすいので、環境によっては音声で報知が行われたとしても管理者に聞こえないことがある。仮に聞こえる大音量で報知が行われたとしても、これは近隣の住民にとって迷惑なものとなってしまう。そこで本発明は、表示部の発光表示パターンを切り換えることで、蓄電池の充電残量が変化していることを報知するので、たとえ騒音が発生していたとしても、管理者は蓄電池の充電残量が変化していることを知ることができる。
【０００９】
請求項２の発明によれば、蓄電池の充電残量が満充電の状態から減少するに従って、表示部に表示する発光表示パターンの点灯の割合が少なくなり、消費電力も少なくなるので、表示部が発光表示できる時間を長引かせることができる。
【００１０】
請求項３の発明によれば、蓄電池の充電残量が満充電の状態から減少するに従って、発光表示パターンが段階的に切り換わってゆくので、管理者は蓄電池の充電残量を推し量ることができる。
【実施例】
【００１１】
以下、本発明の実施形態を図面に従って説明する。まず最初に、表示装置１の外観を説明する。図１は表示装置１を示す正面図である。表示装置１は、その台座２に取り付けられたキャスター３により移動させて道路の脇等に設置され、表示装置１本体中央の表示部４に取り付けられた各表示器により発光表示を行うことで、自動車の運転手、歩行者等に工事が行われていることを報知する。表示部４には３種類の表示器が取り付けられている。１つめの表示器は表示パネル５で、２本のポール６を用いて台座２の上方に取り付けられている。表示パネル５は、プリント基板にドットマトリクス状に複数配置されたＬＥＤを選択的に発光させることで図形や文字を表示することができ、ここでは「工事中」という文字を発光表示させて周囲の人間に警告している。２つめの表示器はブリンカー７で、表示パネル５の枠の左右に取り付けられている。ブリンカー７は上下に１つずつランプが取り付けられており、点灯するランプを上と下で切り換える動作を繰り返すことで、周囲の人間の目を表示パネル５へと向けさせる発光表示を行うことができる。３つめの表示器はサークラー８で、表示パネル５の上方に２つ取り付られている。サークラー８は中心から放射状にＬＥＤが複数配置されることで形成されるＬＥＤユニットが花びらのように配置され、発光させるＬＥＤユニットを円周方向に順番に切り換えることで、光の軌跡が円を描くような発光表示を行うことができる。サークラー８が発光表示を行う様子を図２に示す。図中では、白の塗りつぶしは点灯を示し、黒の塗りつぶしは消灯を示すものとし、左から右に行くに従って時間が経過していくものとする。９は太陽光を電力に変換する太陽電池パネルで、ポール１０を用いて表示部４の上方に取り付けられている。１１は蓄電池で台座２上に設置されており、太陽電池パネル９で発電した電力を蓄える。
【００１２】
次に、表示装置１における各種装置の関係を図３に従って説明する。なお図中では、実線の矢印で電力の供給方向を示し、点線の矢印で信号の出力方向を示す。１２は充電制御部で、太陽電池パネル９で発電した電力を受け、受けた電力を表示装置１駆動用の電源１３へ供給し、また、蓄電池１１の充電残量を監視してこれの充電が必要なときには、受けた電力を蓄電池１１へ供給する。蓄電池１１で蓄えられた電力は電源１３に供給される。電源１３に供給された電力で、表示部４の各表示器および後述する制御部１５は動作する。１４は充電残量測定手段である充電残量測定部で蓄電池１１の充電残量を測定する。１５は制御部で、充電残量測定部１４で測定された充電残量に応じて表示部４の発光表示パターンを切り換えることで、蓄電池１１の充電残量が変化していることを表示装置１の管理者に報知する。
【００１３】
以上のように構成される本発明の実施形態の動作を説明する。まず、充電残量測定部１４が蓄電池１１の充電残量を測定する動作を説明する。充電残量測定部１４は、１秒おきに蓄電池１１の電圧を測定し、２分おきにその間測定した複数の電圧値から平均値を算出し、電圧の平均値が図４に示す充電残量テーブルのどの項目に該当するかで充電残量レベルを判断する。電圧はV１のときが最も低く、V４のときが最も高い。また、充電残量は充電残量レベルがＡのときに最も多く、充電残量レベルがＤのときに最も少ない。なお、充電残量レベルがＤのときに表示部４は、発光表示を行うと蓄電池１１に悪影響を及ぼすので、発光表示を行わないようにしている。さらに、外気温が低下すれば電圧測定回路１１で測定される電圧値も低下するので、制御部１５は、温度センサー（図示しない）により外気温を測定し、この外気温も加味して蓄電池１１の充電残量を判断するようにしてもよい。このように、充電残量測定部１４で判断した充電残量レベルは制御部１５に送られ、制御部１５は受け取った充電レベルに応じて発光表示パターンを切り換える。
【００１４】
次に、蓄電池１１の充電残量レベルに応じた表示部４の各表示器の発光表示パターンを図５〜７で説明する。図中では、上から表示パネル５、ブリンカー７、サークラー８の順で発光表示を示し、白の塗りつぶしは点灯を示し、黒の塗りつぶしは消灯を示すものとし、左から右に行くに従って０．５秒ごと時間が経過していくものとする。最初に、晴れの日が続いて太陽電池パネル９の発電が効率よく行われ、充電残量レベルがＡと充電残量測定部１４が判断したときの発光表示パターンＰ１を図５に従って説明する。表示パネル５の発光表示パターンは、「工事中」の文字を常時表示するものであり、ブリンカー７の発光表示パターンは、点灯するランプを１秒おきに上下に切り換えるものであり、サークラー８の発光表示パターンは、光が０．５秒で時計回りに１回転しているように周囲の人間に見えるように、点灯するＬＥＤユニットを切り換えるものである。
【００１５】
続いて、曇りの日が続いて太陽電池パネルの発電が効率よく行われず、蓄電池１１の充電残量が減少し、充電残量レベルがＢと充電残量測定部１４が判断したときの発光表示パターンＰ２を図６に従って説明する。表示パネル５の発光表示パターンは、「工事中」の文字を０．５秒おきに０．５秒間表示するものであり、ブリンカー７の発光表示パターンは、点灯するランプを１秒おきに上下に切り換え、ランプを０．５秒間点灯させるものであり、サークラー８の発光表示パターンは、光が０．５秒で時計回りに１回転しているように周囲の人間に見えるように、点灯するＬＥＤユニットを切り換えてから、全てのＬＥＤユニットを０．５秒間消灯させることを繰り返すものである。
【００１６】
最後に、さらに曇りの日が続いて太陽電池パネルの発電が効率よく行われず、蓄電池１１の充電残量が大幅に減少し、充電残量レベルがＣと充電残量測定部１４が判断したときの発光表示パターンＰ３を図７に従って説明する。表示パネル５の発光表示パターンは、「工事中」の文字を１秒おきに０．５秒間表示するものであり、ブリンカー７の発光表示パターンは、点灯するランプを１．５秒おきに上下に切り換え、ランプを０．５秒間点灯させるものであり、サークラー８の発光表示パターンは常時消灯するものである。
【００１７】
このように、蓄電池１１の充電残量が減少するにつれ、各表示器の発光表示パターンの消灯の割合は増加する。これにより表示装置１の管理者は、各表示器の発光表示パターンから蓄電池１１に蓄えられた電力が減少していることを知り、発光表示が消えないように蓄電池１１を充電したり、表示装置１に取り付けられた蓄電池１１を充電済みのものに交換したりといった対処をとることができる。
【００１８】
以上、本発明の実施形態を説明してきたが、本発明の具体的な実施形態は、前述した実施形態に限るものではなく、本発明の要旨を逸脱しない範囲の変更があったとしても本発明に含まれる。本発明における蓄電池１１の充電残量を測定する方法は、蓄電池１１の電圧を測定する方法に限らず、充電残量を測定できればどんな方法でもかまわない。例えば、インピーダンスを測定する方法であったり、電解液の比重を測定する方法であってもかまわない。
【図面の簡単な説明】
【００１９】
【図１】表示装置１を示す正面図である。
【図２】サークラー８が発光表示を行う様子を示す説明図である。
【図３】表示装置１の各種装置の関係を示すブロック図である。
【図４】充電残量テーブルである。
【図５】発光表示パターンＰ１を示す説明図である。
【図６】発光表示パターンＰ２を示す説明図である。
【図７】発光表示パターンＰ３を示す説明図である。
【００２０】
１        表示装置
２        台座
３        キャスター
４        表示部
５        表示パネル
６        ポール
７        ブリンカー
８        サークラー
９        太陽電池パネル
１０        ポール
１１        蓄電池
１２        充電制御部
１３        電源
１４        充電残量測定手段たる充電残量測定部
１５        制御部
【図１】
2008281874.tif 000003
【図２】
2008281874.tif 000004
【図３】
2008281874.tif 000005
【図４】
2008281874.tif 000006
【図５】
2008281874.tif 000007
【図６】
2008281874.tif 000008
【図７】
2008281874.tif 000009